(57)【要約】ハイパーリンクまたは埋め込まれた機能テキストを有するデータストリームまたはファイルを取り出すことができるユーザインタフェイスが開示される。ユーザインタフェイスのＣＰＵは各ハイパーリンク（４５１）に対応して、このようなリンクを区別できるように、個別の色（４５４）を選択することができる。ユーザインタフェイスは色を有するボタン（４６６）と、同一色を有するハイパーリンク（４５６）とを連携させる（４７６）ので、ボタンが作動させられると、ハイパーリンクと連携する機能のプログラム実行が発生する。こうして、色、ハイパーリンク、機能に対するボタンの対応付けが確立される。
2004503008.tif 000002
【特許請求の範囲】
【請求項１】
少なくとも１つの色を有する機能を選択するための方法であって、該方法が以下のステップ、すなわち、
ａ）　第１の描画において第１のカラーハイライトを表示するステップと；
ｂ）　第２の描画において第２のカラーハイライトを表示するステップと；
ｃ）　第１のカラーハイライトと第２のカラーハイライトとからなされた色の選択を検出するステップと；
ｄ）　色の選択に対応する機能を作動させるステップと
を具備することを特徴とする、少なくとも１つの色を有する機能を選択するための方法。
【請求項２】
機能がハイパーリンク機能であり、第１の描画が第１のハイパーリンクの描画であり、第２の描画が第２のハイパーリンクの描画である、請求項１記載の方法。
【請求項３】
色の選択を検出するステップが、ボタンが少なくとも一回押されたことを検出することを含む、請求項２記載の方法。
【請求項４】
検出ステップがさらに、ボタンに関連付けられた色を探すことを含む、請求項３記載の方法。
【請求項５】
色の選択を検出するステップが、ボタンが少なくとも一回リリースされたことを検出することを含む、請求項２記載の方法。
【請求項６】
第１のカラーハイライトを表示するステップが、ボタンとマッチングする色を選択することを含み、ボタンがハイパーリンクの描画の行と関連付けられたゾーンにある、請求項２記載の方法。
【請求項７】
少なくとも１つの色を有する機能を選択するための装置であって、該装置が、
所定の形式のファイルに従って、第１の描画において第１のカラーハイライトを表示し、第２の描画において第２のカラーハイライトを表示するためのディスプレイ手段と；
第１のカラーハイライトから行われた色の選択を検出するためのプロセッサ手段と；色の選択に対応する機能を作動させるためのアクチュエータ手段と、
を具備し、該アクチュエータ手段が前記プロセッサ手段に接続されている
ことを特徴とする、少なくとも１つの色を有する機能を選択するための装置。
【請求項８】
機能がハイパーリンク機能であり；第１の描画が第１のハイパーリンクの描画であり、第２の描画が第２のハイパーリンクの描画であり；所定の形式のファイルが所定の形式のハイパーリンクファイルであり；さらに、色の選択に対応する機能が、色の選択に対応するハイパーリンク機能である、請求項７記載の装置。
【請求項９】
検出器手段が、ボタンを押したことを検出する検出器を含む、請求項８記載の装置。
【請求項１０】
検出器手段がさらに、ボタンに関連付けられた色を探すためのルックアップテーブルを含む、請求項９記載の装置。
【請求項１１】
検出器手段が、ボタンをリリースしたことを検出する検出器を含む、請求項８記載の装置。
【請求項１２】
ディスプレイ手段がさらに、ボタンとマッチングする色を選択するためのセレクタを含み、ボタンがハイパーリンクの描画の行に関連付けられたゾーンにある、請求項８記載の装置。
【請求項１３】
アクチュエータ手段がディスプレイ手段の辺縁範囲内にある、請求項８記載の装置。
【請求項１４】
それぞれ少なくとも１つの描画を有する少なくとも２つの機能に、少なくとも２つの色を割り当てる方法であって、該方法が以下のステップ、すなわち：
ａ）　第１の機能と第２の機能とを機能順に得るために、所定の形式のファイル内で機能のリストをソートするステップと、
ｂ）　第１のカラーハイライトを有する第１の機能の描画を表示するステップと、
ｃ）　第２のカラーハイライトを有する第２の機能の描画を表示するステップと、を具備し、第１の機能の描画と第２の機能の描画とが、入力デバイスの順序とマッチングする順序を有する
ことを特徴とする方法。
【請求項１５】
前記少なくとも２つの機能が、少なくとも２つのハイパーリンク機能であり；
前記少なくとも１つの描画が、ハイパーリンクの描画であり；
前記機能のリストが、ハイパーリンク機能のリストであり；
前記第１の機能の描画が第１のハイパーリンクの描画であり；さらに、
前記第２の機能の描画が第２のハイパーリンクの描画である、
請求項１４記載の方法。
【請求項１６】
第１のハイパーリンクの描画が所定の位置に配置され、第２のハイパーリンクの描画が前記位置の右側に配置される、請求項１５記載の方法。
【請求項１７】
第１のハイパーリンクの描画が所定の位置に配置され、第２のハイパーリンクの描画が前記位置の下側に配置される、請求項１５記載の方法。
【請求項１８】
第１のハイパーリンクの描画が可視ウィンドウの縁部にある、請求項１５記載の方法。
【発明の詳細な説明】
【０００１】
発明の分野
本発明はグラフィックユーザインタフェイスを提供することに関し、より具体的には、ディスプレイに現れるカラーハイライトと連携する入力デバイスを介して入力選択を可能にすることに関する。
【０００２】
発明の背景
例えばパーソナルコンピュータにおけるＣＰＵのプログラム制御は、しばしばキーボードまたは他の別個の入力デバイスを介して、ユーザの入力によって駆動される。ボタンと呼ばれることがあるキー、またはキーパッドはしばしば、そこに現れる予め刻印された数字、文字または記号を有している。このことは、ユーザが、キーが一般的にトリガすることになっている機能を理解するのを可能にする。
【０００３】
キーの機能は、ＣＰＵのコンテキストともいわれる、ＣＰＵの状態に応じて変化することができる。例えば、表面に「Ｃａｐｓ　Ｌｏｃｋ」と表示されたキーを押すと、小文字と大文字とのキーボード入力相互間でクワーティ（ＱＷＥＲＴＹ）キーボードの切り換えがトリガされることになる。同様に、現代のパーソナルコンピュータにおいて「ファンクション」キーまたは「コントロール」キーを使用すると、キーは、パーソナルコンピュータまたはＰＣ上のプログラム操作に応じて、無数の機能能力を担うことになる。
【０００４】
ＣＰＵを制御するいくつかのケースでは、その目的を示すために記号表記でキーをマーキングすることが不要である。このことは、多くの自動預金支払機（ＡＴＭ）において最も顕著である。このような場合、ボタンはディプレイ領域に隣接して配置されているので、テキストが所与のボタンに隣接して出現すると、テキストがボタンに近接していることにより、作動時におけるそのボタンの意図された機能性が何なのかが明らかである。ＡＴＭはもちろん、極めて特定的な目的を有する機械なので、ボタン機能を記述するためのテキストの配置は、極めて予想可能かつ限定的なプログラムに従って変化する。ハイパーリンクのカテゴリは、機能的テキストすなわちハイパーテキスト、または機能的グラフィックを含む。それぞれのハイパーリンクは、連携する機能またはハイパーリンク機能を有する。ハイパーリンク機能は、ブラウザ機器のＣＰＵに作動接続されたデバイスの出力または記憶装置にあらゆる変化を引き起こすことができる。ハイパーテキストは一般的にワールドワイドウェブ（ＷＷＷ）において使用される。ＡＴＭと異なり、ＷＷＷ上に見出される機能的テキストまたはグラフィックは、ディスプレイ上のいかなる場所に出現してもよく、規則的な表示行または表示列に制約されることはまれである。さらに重要なことは、デスクトップ環境においては、キーがディスプレイから隔たっているので、機能的テキストまたはグラフィックがたとえディスプレイの周辺に配置されたとしても、ＰＣキーボード上のキーと表示されたテキストまたはグラフィックとの間の関連を理解するのを平均的なユーザは難しいと感じてしまう点である。
【０００５】
幸運なことに、位置指示デバイスを使用するための多くの技術が、このような配置の必要をなくしている。マウスが利用可能になる前でさえ、機能を呼び出すための同様な能力をメニューが提供した。メニューまたはサブメニュー項目は、機能的テキストから際立たされ、または機能テキスト内で、ハイライトで強調された先駆番号または文字を有している。典型的なメニューは、いったん表示されると、一回のキーストロークの発生時に選択を許す入力ルーティンと連携して作動される。この場合選択される機能は、メニュー項目の機能的テキストによって表示され、また、操作キーは機能的テキスト内の単一のハイライト強調された記号によって表示される。
【０００６】
ハイパーテキストの使用が進歩して、今日では日常的にハイパーテキストがハイパーテキストマークアップ言語（ＨＴＭＬ）で生成され、これによりカーソルを表示されたテキストに動かし、これをクリックするだけで、表示されたテキストを付加的な機能への戸口として操作することができるようになってきている。互換性のあるブラウザによって読み出された場合の、ＨＴＭＬの多くの特徴の中には、非機能テキストからテキストを区別し、またはＨＴＭＬページの他の部分との心地よい色の組み合わせを提供するために、ハイパーテキストに固有の色を提供する能力がある。ＨＴＭＬファイル内でリンクの色を特定する能力は、一連のＨＴＭＬを通して首尾一貫したテーマを維持するように、見栄えをよくする理由から発揮される。
【０００７】
モバイルステーション、例えば携帯電話に埋め込まれることがしばしばあるハンドヘルドコンピュータの場合、ＡＴＭのようなキーはソフトキーとして知られる。ＡＴＭのように、ソフトキーはディスプレイ面に例えば１／４インチの距離で極めて近接して設けられている。これは典型的なラップトップとは対照的である。ＩＢＭ（登録商標）ＴｈｉｎｋＰａｄの最も近接するキーでさえも、ディスプレイ面から隔たっている。モバイルステーションは最小距離を有してはいるももの、ソフトキーと、その近くに表示された意図された機能との間を多くの人は関連付けることができない。このような場合、携帯電話の機能性の多くは、電話の使用者から隠されてしまう。
【０００８】
モバイルステーションは個人用通信デバイスとしてしばしば使用されるので、有線電話には存在しない融通性を有している。従って、携帯電話は暗やみを含むあらゆる条件で使用できるように構成されている。従ってキーパッドは、エントリが行われると内部から明るくなるようにしばしば構成されている。この目的はキーの見易さを改善するためのものなので、照明は通常、全てのキーに対して均一であり、単色であった。
【０００９】
ハンドヘルドユニット、具体的には携帯電話は、１２個のキーを有するキーパッドにスペースを割かなければならないので、ディスプレイに許される空間は、例えば約５〜６行のテキストしか入らないほど小さいことがしばしばある。小型のマウスをＪキーセンサを用いて付加することもできるが、このような小さなスクリーン中の微細なカーソル移動が生む成果は、デスクトップサイズのモニタとの併用と比べて著しく少ない。それでもなお、例えばポピュラーなテキストブラウザ、ＬＹＮＸにおいて「タブ」キーを使用することにより採用されるようなカーソル改良機能を用いることをユーザに要求することは、特に開始時の操作可能な選択肢が４つを上回る場合には非効率的である。このことは、キーパッドのキーサイズがコンピュータキーボードのＤＩＮ基準形の面積の４分の１未満である場合には、デバイスのユーザにとってより大きな負担となる。
【００１０】
従って、ディスプレイ上で見ることのできるハイパーリンクを提供するハンドヘルドデバイスにおいて、キーストロークの繰り返しを減じるための選択方法および装置が必要である。キーパッド上のキーとスクリーン上のハイパーリンクとの間に、ディスプレイの周りにキーを詰め込むことなしに、眼に見えるリンクを形成する必要がある。標準的なキーのレイアウトから、より大きな機能性を獲得する能力も必要となる。
【００１１】
発明の概要
本発明は入力デバイスにおける機能を選択するための方法および装置を提供する。第１の機能は、第１の色を使用してハイライト強調された第１の描画として表示される。第２の機能は、第２の色を使用してハイライト強調された第２のハイパーリンクの描画として表示される。色の選択は、第１の色と第２の色とから行われる。色は例えばＣＰＵによって検出される。ＣＰＵは分岐プログラムを実行し、これにより色選択に基づく機能を選択する。
【００１２】
本発明の実施態様はハイパーテキストファイルまたはリストを読み出し、デバイスの物理的なディスプレイで見ることが可能なハイパーリンクに色を割り当てることができる。色の割り当てはハイパーリンクのための本来のＨＴＭＬにおけるあらゆる色の割り当てに優先することができるので、独自の機能を示すそれぞれのハイパーリンクが、割り当てられた独自の色を有することができ、さらにそのハイパーリンクが、キーパッドの少なくとも１つのキーとマッチングする色で描画される。さらに、色の割り当てはデータ構造の生成、例えば参照用テーブル、色による索引形成、および機能のマッチングに利用することができる。色が選択されると、マッチングした機能はＣＰＵによってトリガされる。
【００１３】
本発明の１つまたは複数の実施態様により提供される利点は、ディスプレイのハイライト強調部分および対応する機能を、機能と連携する独自の色を入力することにより選択できることである。このことは、スクリーン上に見ることができる選択肢が多くても、一回のキーストロークで行うことができる。
【００１４】
本発明の多くの利点の中で、開示された１つまたは複数の実施態様は、ハンドヘルドデバイスの各ボタンが独自の色を有し、この色がディスプレイ上に挙げられた機能とマッチングすることを可能にする。色を知覚した者は誰でも、ディスプレイとマッチングするキーパッドから機能を選択することができる。
【００１５】
１つまたは複数の実施態様によって提供される別の利点は、主としてボタンで制御可能なデバイスにおいて、一回のキーストロークで、リストに挙げられたあらゆる項目の選択を可能にし、しかもこの場合リストに挙げられた項目にマッチングする記号をボタン上に見出す必要はないことである。このことは、リストされた項目またはハイパーリンクの数が多い場合にも当てはまる。
【００１６】
１つまたは複数の実施態様によって提供される別の利点は、ボタンと表示された機能との間のリンケージの認識が改善されて、読み書きのできない人々でも、隔たったボタンと、ボタンと共通の色を有する、表示されたハイパーリンク描画との間の関連を理解することができることである。さらに中度の視覚障害者は、ボタン面上に現れるいくつかの文字のうちの１つを位置確認するよりも良好に、縁部間で色を有するボタンを位置確認することができる。
【００１７】
１つまたは複数の実施態様によって提供される別の利点は、ボタンに印刷された文字に関連して、上下逆さにデバイスが向けられても、ボタンの色を読むのが困難ではないことである。
【００１８】
１つまたは複数の実施態様によって提供される別の利点は、ディスプレイがリンクで一杯になりすぎて近くのボタンとの位置的な相関を見ることができないことがあるが、しかしディスプレイはなおもボタンに十分に近接していて辺縁視でボタンの色を見ることができることである。これにより、ディスプレイから眼をそらさない限りは、マッチングするハイパーリンク描写を選択することに関して正確なボタン選択が可能になる。
【００１９】
好ましい実施例の詳細な説明
本出願の数多くの新規の教示内容を、以下に好ましい実施例を具体的に参照しながら説明する。ただし、この種の実施例は、本明細書における新規の教示内容を有利に使用するいくつかの例を提供するにすぎないことを理解すべきである。一般的に、本出願の明細書における記載内容は、主張された種々の発明のうちのあるものを必ずしも限定するものではない。さらに、発明に係るいくつかの構成要件に当てはまるが、他の構成要件には当てはまらない記載内容がある。
【００２０】
図１ａは、所定の形式のハイパーリンクファイルを、大きな寸法を有するスクリーンに表示した場合に見える状態で示している。ほとんどの所定の形式のハイパーリンクファイルは（一般のデスクトップブラウザによってｈｔｍｌファイルで作成されるものがそうであるように）、「太った」ブラウザ能力に適しているので、所定の形式のハイパーリンクファイル全体をモバイルステーション上のディスプレイが示すことができないことがしばしばある。このような環境下では、モバイルステーションは、一般のｈｔｍｌページをコンピュータディスプレイのディスプレイ領域で見ることができない場合にそのｈｔｍｌページ上で実施されるスクロールの効果と同様の「スクロール」能力を提供することができる。過剰の所定の形式のハイパーリンクファイルをバーチャルスクリーン１０１と呼ぶ。デバイス、例えばモバイルステーションのディスプレイで見ることができるバーチャルスクリーン１００の領域を、可視ウィンドウ１０１と呼ぶ。図１ｂに示した可視ウィンドウ１１１は極めて小さいので、バーチャルスクリーン１１０の過剰分は、可視ウィンドウの左縁１１２と右縁１１３ならびに頂縁１１４と底縁１１５とを超えて延びている。
【００２１】
所定の形式のハイパーリンクとは生のハイパーテキストのみではなく、所定の順序と方向とでテキストとグラフィックとを示したものである。このテキストおよびグラフィックは、人が見たときにファイルがこれらを有するように作者が意図したものである。所定の形式のハイパーリンクファイルはしばしば特別な指示で可視化された多数の機能領域を有している。一例としては、ハイパーテキストマークアップ言語（ＨＴＭＬ）の作者は、或るテキストに関連する機能領域を識別するために、下線および青色の着色とから成るデフォルトの特別な指示を使用することがしばしばある。一般のＨＴＭＬを使用するブラウザによって提示される場合、画像は、しばしば青い境界によって示された特別な指示を有することができる。一般的には、これらの特別な指示は、機能領域に対するハイライト強調であり、事実上、与えられた所定の形式のハイパーリンクファイルに対して統一的な色を常に有している。所定の形式のハイパーリンクファイルは、ウェブクリッピングアプリケーション（ＷＣＡ）によって製作されるような、フィルタリングされたＨＴＭＬ版であってよい。所定の形式のハイパーリンクファイルは極めて短くてよく、カラム内に表示される機能のリストを含んでよい。
【００２２】
図２は、典型的なモバイルステーションを示す。モバイルステーションは携帯電話であってよい。モバイルステーションは携帯情報端末であってよい。信号の送受のためにアンテナ２０１が使用されてよい。アナログからデジタルベースバンド信号へ、また、デジタルベースバンド信号からアナログへ信号を変換することを送受信機２０３が可能にする。プロセッサまたはＣＰＵ２１５が送受信機２０３からデータを受け取り、アナログまたはデジタル信号を出力デバイスに供給することができる。オーディオ出力またはオーディオレンダリング装置２０５が音声出力を可能にする。オーディオ出力は、その入力をプロセッサ２１５からアナログまたはデジタルの形で受け取ることができる。プロセッサはディスプレイ２０７に出力を提供することができる。ディスプレイ２０７はＬＣＤ、ＬＥＤ、または特にラスタ走査デバイスであってよい。プロセッサ２１５は、データを随時記憶し、検索するための記憶装置２０９に依存してよい。このようなデータはステートマシンのコンテキストまたは他のプログラムを提供する情報を含んでよい。このようなデータは圧縮された、または圧縮されないフォーマットでの聴覚的または視覚的なデータを含んでよい。
【００２３】
図２はまた、いくつかの入力デバイスを示している。アクチュエータ手段２１１は、キーパッド、タッチパッド、グラフィックタブレットおよびマウスを含む、二次元平面に沿って入力を検出することができるデバイスを含む。入力はデジタル信号に変換され、プログラム制御に従う動作に対応してプロセッサ２１５に供給されてよい。いくつかのケースでは、入力手段はいくつかの表示エレメントまたは照明手段に重ねられてよく、または、入力手段にこれらの表示エレメントまたは照明手段が散在してもよい。マイクロフォン２１３はプロセッサ２１５への音声制御入力を可能にする。マイクロフォンは通信信号を送受信機２０３に提供することができる。送受信機２０３は、マイクロフォン２１３からの音声信号をアナログからデジタルへ変換することができる。
【００２４】
モバイルステーション上で実行する本発明の実施例は、図３のステップを実施する。所定の形式のハイパーリンクファイルが通信ポートを通して、あるいは別のプロセスからまたはローカル記憶装置から取得される（３０１）。ブラウジングデバイスのＣＰＵが所定の形式のハイパーリンクファイルを解釈する（３０２）。所定の形式のハイパーリンクファイルのストリングがハイパーリンクであるかどうかを見る（３０３）ために、各デリミタ毎に決定が行われてよい。このような決定方法は当業者に良く知られている。ストリングがハイパーリンクである場合、リンクが二次元バーチャルスクリーン３０５内で現れることになる位置について、決定が行われる。このような位置は、ハイパーリンクストリング、水平方向またはｘ位置、鉛直方向またはｙ位置を記憶するデータ構造、例えばリストに記憶されてよい。解釈ステップおよびリスト記憶ステップ３０５は、ファイルの終了が検出される（３０７）まで繰り返し実行されてよい。
【００２５】
リストは各行毎に左から右へソートされて（３０９）、より大きい「ｙ」位置に位置する行のハイパーリンクが、より小さな「ｙ」位置に位置する行のハイパーリンクよりも、リストの終端により接近するように配置される。ソーティングステップ３０９は、左から右へ読む人物によってテキストが読まれる方式と一致した順序で行われてよい。ソーティングはまた入力デバイス配列と一致していてよい。入力デバイス配列は、アクチュエータ手段の配置関係、例えば電話と共用される１２個のボタンを有するキーパッド上の１から０までのキーの配列に基づいていてよい。可視ウィンドウはバーチャルスクリーンよりも小さい場合がある。この場合、サブリストが作成される（３１３）。サブリストは可視ハイパーリンクの描画、すなわち、可視ウィンドウ内に少なくとも部分的に現れるハイパーリンクの描画を編成する。サブリスト内に現れるハイパーリンクの描画に色が割り当てられているかどうかを決定する（３１７）ために、テストを行うことができる。この色は、本来は所定の形式のハイパーリンクファイルに属するあらゆる色に優先して、ＣＰＵによって選択された色である。キーパッドの色は、割り当てられていない一組のキーパッドカラーの中から選択されてよい（３１９）。ユーザがディスプレイをスクロールするよう入力すると、いくつかのハイパーリンクが可視ウィンドウでもはや見られなくなる場合がある。この場合、そのハイパーリンクに割り当てられた色は、割り当てられていない色のリストに加えられてよい。ＣＰＵは可視のハイパーリンクにおいてカラーハイライトを施すようにディスプレイを制御する（３２３）。可視のハイパーリンクとはハイパーリンクの描画であり、可視ウィンドウ上の２つ以上のハイパーリンクの描画の配置とは、描画の順序である。このようなカラーハイライトは、ハイパーリンクに関連するカラータグを埋め込むように、所定の形式のハイパーリンクファイルを変更することにより制御することができる。カラータグはキーパッドの色と同様の色として、ブラウザプログラムによって解釈される。あるいは、適用可能なハイパーリンクに対応してカラータグがすでに存在する場合、既存のカラータグを変更して、キーパッドの色と同様の色にすることができる。カラーハイライトをハイパーリンクの描画に施す形態としては、ａ）ハイパーリンク描画の色をその色にする、ｂ）ハイパーリンク描画をその色で囲む、またはｃ）ハイパーリンク描画の実質的な全長にわたってハイパーリンク描画の近傍にその色の線分を付する、ことが考えられる。
【００２６】
キーパッドカラーが可視ウィンドウ上の全てのハイパーリンクに割り当てられると、ブラウザデバイスはループに入ることにより、入力を得ることができる（３２５）。この場合ブラウザデバイスは、キーを押したことを検出するために、可視のハイパーリンクの色と同様の色を有するキーパッドキーによって制御される回路をポーリングすることができる。このようなキーパッドが押された場合、押されたキーパッドの色または選択された色が見極められる。ＣＰＵは選択された色を検出する。押されたキーパッドの色は、連携するハイパーリンクを探索するための指標として働くことができる。あるいは、押されたキーパッドの色は、連携するハイパーリンクの機能を探索するための指標として働くことができる。次いで、当業者に良く知られた手段によって、連携するハイパーリンクのハイパーリンク機能に従って、ブラウザデバイスによる実行（３２９）が行われる。割り当てられたどの色もこのときに再割り当てすることができる。
【００２７】
図３ａは、バーチャルスクリーン４０１におけるいくつかのハイパーリンクの例を示す。可視ウィンドウ４０３はバーチャルスクリーン４０１の中央部を占めている。リンクＤ４１１は座標（１，５）に配置されている。リンクＤ４１１、リンクＥ４１２、リンクＦ４１３およびリンクＧ４１４は可視ウィンドウ４０３内で全て眼に見える。
【００２８】
図４ｂは、ハイパーリンク４５１の位置情報を保持するデータ構造の一部を示す図である。リンクの行および列を使用して、座標情報４５２を表わしてもよい。ボタンラベル４５３とカラー群４５４とから成る対は、ハイパーリンク名４５１に動的に関連付けられてよい。現在可視であるウィンドウのための関連付けは、リンクＤ４５６と赤色４６６との関連付け４７６である。リンクＥ４５７の関連付け４７７は黄色４６７でなされている。リンクＦ４５８の関連付け４７８は緑色４６８となされている。リンクＧ４５９の関連付け４７９は明るい紫色４６９となされている。このような関連付けおよびリストは、テーブル、ポインタ、または当業者に良く知られた他の手段を使用して形成することができる。このデータ構造には他のデータが含まれていてよい。図３のステップ３１９による色の選択に続いて、可視ウィンドウ内の各ハイパーリンクと、キーパッドボタンに割り当てられた色との間で、関連付けがなされる。
【００２９】
図３のフローチャートの動作は、ユーザが可視ウィンドウを上下にスクロールするのに伴って、テキスト片またはグラフィック片に割り当てられたカラーハイライトが維持され続けることを示唆している。別の実施例の場合、スクロール操作に続いてハイパーリンクが移動する位置またはゾーンに基づいて、色を再割り当てすることができる。ゾーンは文字の列であってよい。このようなゾーンへのアプローチには、ハイパーリンクが可視ウィンドウ内で上昇するにつれて、ハイパーリンクの色を再割り当てすることが必要となる。すなわち、リンクがウィンドウの下側４分の１内にある間、明るい青色４９９を含む最下列のボタンの色が割り当てられることになる。スクリーンの次に高い位置にある４分の１の部分は、「７」、「８」および「９」のボタンの色の中から選択された色でハイライト強調されたリンクを有してよい。さらに、ハイパーリングが可視ウィンドウの最も上側の部分にスクロールされると、「１」、「２」および「３」のボタンに関連付けられた色を使用することができる。１つのゾーンから次のゾーンへシフトするためには、新しいカラーハイパーリンク描画を行ない、そのハイパーリンクの機能と連携するボタンを再マッピングすることが必要となる。
【００３０】
図５は、モバイルステーションのキーパッド入力デバイス５０３と組み合わされたディスプレイ領域５０１を示す。連携するファイルの可視ウィンドウを示すディスプレイ領域５０１には、４つのハイパーテキストリンクがある。すなわち、「ワイヤレスの未来（ｗｉｒｅｌｅｓｓ ｆｕｔｕｒｅ）」５１１に関する情報のディスプレイをトリガするリンク；メンジーズ　Ｊ　モード（Ｍｅｎｚｉｅｓ Ｊ Ｍｏｄｅ）」５１２に関する情報のディスプレイをトリガするリンク；「コマーシャルサイト（Ｃｏｍｍｅｒｃｉａｌ Ｓｉｔｅｓ）」５１３に関する情報のディスプレイをトリガするリンク；および、「Ｙａｈｏｏ！およびその他」５１４に関する情報のディスプレイをトリガするリンクである。これらのハイパーテキストリンクのそれぞれの色は、１のキー５２１；２のキー５２２；３のキー５２３および４のキー５２４の色とそれぞれマッチングしている。キーパッドの各キーは、ユーザの辺縁視内に入るのに十分な大きさを有していてよい。辺縁範囲５５０は観察方向からの角度間隔であり、この範囲内で、ユーザはディスプレイ領域５０１を直接熟視することができ、所望の色に従って十分な大きさの着色されたボタンを選択することができる。この場合熟視状態を調整する必要はない。この範囲はもちろん、より小さなボタンの場合と比べてより大きな着色されたボタンの場合には、より広くなる。辺縁範囲はユーザによって異なり、ディスプレイとボタンとを備えたデバイスを保持するユーザの典型的な眼からの距離にディスプレイとボタンとがある間に測定することができる。
【００３１】
本発明の実施例の場合、ブラウザデバイスはカラーコード化されたキーパッドを有している。キーを押すまたはキーをリリースするという動作の発生はＣＰＵで検出することができる。カラーコードはキーまたはボタン上にあるか、またはキーまたはボタンの近傍域にあってよい。
【００３２】
別の実施例の場合、ボタンの色を選択できるように、それぞれのキーパッドボタンを照明することが可能である。色は、キーパッドボタンの近くに位置する１つまたは複数の異なる色を有するＬＥＤへの回路を閉じることによって、ＣＰＵにより選択することができる。
【００３３】
本発明について特定の実施例のコンテキストにおいて説明してきたが、これらの教示内容に数多くの変更を加えることができることは当業者には明らかである。実施例は多くの異なるパッケージ、例えば携帯電話、ポケットベルまたは電子手帳内で動作することができる。色の入力を検出するには、指の配置またはスタイラスチップの座標を検出するデバイスを含む多くの入力デバイスが使用されてもよい。このように、本発明を特定の実施例に関連して具体的に図示し、説明してきたが、本発明の範囲および思想から逸脱することなしに形状および構造を変更できることは、当業者にとっては明らかである。
【図面の簡単な説明】
開示された発明を添付の図面に関連して説明する。図面は本発明の重要な実施例を示す。
【図１ａ】
所定の形式のハイパーリンクファイルを、大きな寸法を有するスクリーンに表示された場合に見える状態で示す図である。
【図１ｂ】
バーチャルなスクリーンに重ねられた可視ウィンドウを、バーチャルなスクリーンが可視ウィンドウよりも全ての寸法において大きい状態で示す図である。
【図２】
本発明のモバイルステーションの実施例を示すブロック図である。
【図３】
本発明の実施例によって実施されるステップを示すフローチャートである。
【図４ａ】
バーチャルなスクリーンにおけるいくつかのハイパーリンクの例を示す図である。
【図４ｂ】
ハイパーリンクの位置情報を保持可能なデータ構造の一部を示す図である。
【図５】
ディスプレイとの関連においてキーパッドの構造を示す図である。
【図２】
2004503008.tif 000003
【図３】
2004503008.tif 000004
【図４ｂ】
2004503008.tif 000005
【国際公開パンフレット】
2004503008.tif 000006
2004503008.tif 000007
2004503008.tif 000008
2004503008.tif 000009
2004503008.tif 000010
2004503008.tif 000011
2004503008.tif 000012
2004503008.tif 000013
2004503008.tif 000014
2004503008.tif 000015
2004503008.tif 000016
2004503008.tif 000017
2004503008.tif 000018
2004503008.tif 000019
2004503008.tif 000020
2004503008.tif 000021
2004503008.tif 000022
【国際調査報告】
2004503008.tif 000023
2004503008.tif 000024
2004503008.tif 000025